(57)【要約】      （修正有）【課題】ハーフＰＣ工法において用いられるプレキャストコンクリート壁に対して配線用ボックスを後付け可能とすることにより、電線管の接続作業の容易化を実現できる、プレキャストコンクリート壁又は配線用ボックスを提供すること。【解決手段】プレキャストコンクリート壁の上面側に臨む上面開口１１と、該上面開口１１側に設けられて配線用ボックス４０の取り付けが可能な取付部とを備えた枠体部材１０を、当該枠体部材１０の上面開口１１をカバー部材で覆った状態で前記プレキャストコンクリート壁を形成する型枠に固定し、当該型枠内にコンクリートを打設することにより、前記枠体部材１０から前記カバー部材を除去した際に、前記上面開口１１及び取付部が上面側に臨まされるとともに、前記配線用ボックス４０の開口を前記上面開口１１に臨ませて、上面側から該ボックスを前記取付部に取り付け可能とする。【選択図】図１３
2004336872.tif 000002
【特許請求の範囲】
【請求項１】
プレキャストコンクリート壁と打設コンクリート壁との二層構造により建物壁を形成するハーフＰＣ工法における、前記プレキャストコンクリート壁の形成方法であって、
形成されるプレキャストコンクリート壁の下面側に臨む下面開口と、該プレキャストコンクリート壁の上面側に臨む上面開口と、該上面開口側に設けられて配線用ボックスの取り付けが可能な取付部とを備えた枠体部材を、当該枠体部材の上面開口をカバー部材で覆った状態で前記プレキャストコンクリート壁を形成する型枠に固定し、当該型枠内にコンクリートを打設することにより、
前記枠体部材から前記カバー部材を除去した際に、前記上面開口及び取付部が上面側に臨まされるとともに、前記配線用ボックスの開口を前記上面開口に臨ませて、上面側から該ボックスを前記取付部に取り付け可能とする、プレキャストコンクリート壁を形成することを特徴とするプレキャストコンクリート壁の形成方法。
【請求項２】
請求項１に記載のプレキャストコンクリート壁の形成方法において、
前記枠体部材は、下面開口側に配線器具や感知器等の電気器具が取り付け可能な器具取付部を備えたことを特徴とするプレキャストコンクリート壁の形成方法。
【請求項３】
請求項１又は請求項２に記載のプレキャストコンクリート壁の形成方法において、
前記枠体部材は、複数の枠材の組み付けにより構成され、プレキャストコンクリート壁の壁厚に応じて高さ調整可能に設けられることを特徴とするプレキャストコンクリート壁の形成方法。
【請求項４】
請求項２又は請求項３の何れかに記載のプレキャストコンクリート壁の形成方法において、
前記枠体部材は、下面開口を形成するとともに前記器具取付部を備えた器具取付枠と、該器具取付枠に取り付けられて上面開口を形成すると共に、別部材に係る配線用ボックスの取り付けが可能な取付部を備えた継枠部材とで形成され、前記継枠部材は、複数積層できるように相互に組み付けられて、プレキャストコンクリート壁の壁厚に応じて高さ調整可能に設けられることを特徴とするプレキャストコンクリート壁の形成方法。
【請求項５】
請求項１乃至請求項４に記載のプレキャストコンクリート壁の形成方法において、
前記枠体部材は、前記型枠に固定された固定具に、下面開口側が固定されて型枠に固定することを特徴とするプレキャストコンクリート壁の形成方法。
【請求項６】
プレキャストコンクリート壁と打設コンクリート壁との二層構造により建物壁を形成するハーフＰＣ工法において、前記建物壁内に配線用ボックスを埋設すべく、前記プレキャストコンクリート壁に配線用ボックスを固定する方法であって、
形成されるプレキャストコンクリート壁の下面側に臨む下面開口と、該プレキャストコンクリート壁の上面側に臨む上面開口と、該上面開口側に設けられ、配線用ボックスを取り付け可能な取付部とを備えた枠体部材を、当該枠体部材の上面開口をカバー部材で覆った状態で前記プレキャストコンクリート壁を形成する型枠に固定し、当該型枠内にコンクリートを打設することによって、前記プレキャストコンクリート壁を形成し、
前記枠体部材から前記カバー部材を除去して、前記上面開口及び取付部をプレキャストコンクリート壁の上面側に臨ませ、前記配線用ボックスの開口を前記上面開口に臨ませて、上面側から該ボックスを前記取付部に取り付けることにより、プレキャストコンクリート壁に配線用ボックスを固定することを特徴とするプレキャストコンクリート壁への配線用ボックスの固定方法。
【請求項７】
請求項６に記載のプレキャストコンクリート壁への配線用ボックスの固定方法において、
前記配線用ボックスは、側壁に電線管が接続された状態で、前記枠体部材に取り付けられることを特徴とするプレキャストコンクリート壁への配線用ボックスの固定方法。
【請求項８】
請求項６又は請求項７に記載のプレキャストコンクリート壁への配線用ボックスの固定方法において、
前記枠体部材は、下面開口側に配線器具や感知器等の電気器具が取り付け可能な器具取付部を備えたことを特徴とするプレキャストコンクリート壁への配線用ボックスの固定方法。
【請求項９】
請求項６乃至請求項８の何れかに記載のプレキャストコンクリート壁への配線用ボックスの固定方法において、
前記枠体部材は、複数の枠材の組み付けにより構成され、プレキャストコンクリート壁の壁厚に応じて高さ調整可能に設けられることを特徴とするプレキャストコンクリート壁への配線用ボックスの固定方法。
【請求項１０】
請求項８又は請求項９に記載のプレキャストコンクリート壁への配線用ボックスの固定方法において、
前記枠体部材は、下面開口を形成するとともに前記器具取付部を備えた器具取付枠と、該器具取付枠に取り付けられて上面開口を形成すると共に、別部材に係る配線用ボックスの取り付けが可能な取付部を備えた継枠部材とで形成され、前記継枠部材は、複数積層できるように相互に組み付けられて、プレキャストコンクリート壁の壁厚に応じて高さ調整可能に設けられることを特徴とするプレキャストコンクリート壁への配線用ボックスの固定方法。
【請求項１１】
請求項６乃至請求項１０に記載のプレキャストコンクリート壁への配線用ボックスの固定方法において、
前記枠体部材は、前記型枠に固定された固定具に、下面開口側が固定されて型枠に固定することを特徴とするプレキャストコンクリート壁への配線用ボックスの固定方法。
【請求項１２】
プレキャストコンクリート壁と打設コンクリート壁との二層構造により建物壁を形成するハーフＰＣ工法に用いる前記プレキャストコンクリート壁であって、
該プレキャストコンクリート壁はその内部に枠体部材を埋設してなり、
該枠体部材は、前記プレキャストコンクリート壁の下面側に臨む下面開口と、該プレキャストコンクリート壁の上面側に臨む上面開口と、該プレキャストコンクリート壁の上面側に臨まされて、配線用ボックスの取り付けが可能な取付部とを備えたことを特徴とするハーフＰＣ工法用プレキャストコンクリート壁。
【請求項１３】
プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、
当該枠体部材の上面開口を覆って該枠体部材内側へのコンクリートの進入を防止するカバー部材と、を有することを特徴とする配線空間形成装置。
【請求項１４】
プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、
当該枠体部材の上面開口に取り付けられることにより、該枠体部材内側へのコンクリートの進入を防止すると共に、前記取付部へのコンクリートの付着を防止するカバー部材と、を有することを特徴とする配線空間形成装置。
【請求項１５】
プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、
当該枠体部材の上面開口を覆って該枠体部材内側へのコンクリートの進入を防止するカバー部材と、
前記プレキャストコンクリートが形成されて、前記カバー部材を除去した後に前記枠体部材の取付部に取り付けられ、側面又は底面に電線管の接続を可能とする配線用ボックスと、を有することを特徴とする配線空間形成装置。
【請求項１６】
プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、
当該枠体部材の上面開口に取り付けられることにより、該枠体部材内側へのコンクリートの進入を防止すると共に、前記取付部へのコンクリートの付着を防止するカバー部材と、
前記プレキャストコンクリートが形成されて、前記カバー部材を除去した後に前記枠体部材の取付部に取り付けられ、側面又は底面に電線管の接続を可能とする配線用ボックスと、を有することを特徴とする配線空間形成装置。
【請求項１７】
プレキャストコンクリート壁を成型する際に、該プレキャストコンクリート壁内に埋設される枠体部材の上面開口を被覆して、該枠体部材内側へのコンクリートの進入を防止すると共に、前記取付部を保護することを特徴とするカバー部材。
【発明の詳細な説明】
【０００１】
【発明の属する技術分野】
本発明は、ハーフＰＣ工法において用いられ、電線管を接続可能とするプレキャストコンクリート壁及びその形成方法に関するものであって、特に、該プレキャストコンクリート壁に対する電線管を接続する配線用ボックスを後付け可能な構成とするプレキャストコンクリート壁に関するものである。
【０００２】
【従来の技術】
建物壁をコンクリートにて形成する際に、ハーフＰＣ工法と呼ばれる工法が採用されている。このハーフＰＣ工法というのは、工場において予め製作されたプレキャストコンクリート（ＰＣ）壁を施工場所にセットし、其処へ場所打ちのコンクリート（打設コンクリート）を打ち込むことによって、前記ＰＣ壁と打設コンクリートとの二層構造により建物壁を形成する工法である。このハーフＰＣ工法によれば、ＰＣ壁が型枠代わりになるので仮設材が少なくなり、比較的短い養生期間で硬化するので全体としての工期が短縮できるという点で、マンション建築等において多用されている。
【０００３】
そして、上記ＰＣ壁を工場等で作成する場合に、従来においては特許文献１に記載の如き「コンクリートボックス」等を埋設し、該ＰＣ壁内に配線接続空間を設けるものとしていた。但し、この特許文献１に記載のコンクリートボックスはハーフＰＣ壁に埋設するためのものではなく、所謂現場打ちのコンクリートに埋もれて設置されるものである。従って、上記ハーフＰＣ壁内に埋設する場合には、高さ寸法の長いものをハーフＰＣ壁の型枠内に設置し、その上端部分をコンクリート面から臨ませて突出させている。詳細には、▲１▼ＰＣ壁を形成するためのコンクリート型枠に、背面開口がバックプレートで覆われた前記コンクリートボックスの前面開口側に、一又は複数の継枠を介して、開口周縁に配線器具や感知器等の機器取付部を備えたボックスカバーを、ビス等により固定し、▲２▼前記ボックスカバー及び継枠が一体化されたコンクリートボックスを、ＰＣ壁を形成するための型枠に、前記ボックスカバー側を下にして固定する。次いで、▲３▼前記型枠にコンクリートを打設して、ＰＣ壁を形成する。この時、前記コンクリートボックスは、前記ＰＣ壁の上方に突出された状態に埋設される。更に、▲４▼前記ＰＣ壁を建築現場に運搬して設置した後、ＰＣ壁の上方に突出しているコンクリートボックスのバックプレートを外して、該ボックス側壁にコネクタ等を取り付け、これに電線管を接続すべく配管し、再度バックプレートをボックスに取り付けた状態で、現場にて、打設コンクリートを打ち込むことにより、建物のスラブ壁を形成していた。
【０００４】
しかしながら、上記従来工法にあっては、前記電線管の配管作業の際、ボックスが既にＰＣ壁内に埋設されてしまっているため、バックプレートを外して形成される背面開口から手を挿入して、コネクタ等の取り付け作業を行なわなければならず、作業性が悪かった。
【０００５】
とくに、ボックス近傍にカイザー筋が突出していると、これが邪魔となって、ボックス側壁のノックアウト等を打ち抜き作業や、コネクタの取り付け作業の妨げとなっていた。
【０００６】
また、ノックアウトを打ち抜く際に、打ち抜かれたノックアウトは、ボックス内部に落下する場合が多く、この打ち抜かれたノックアウトを後から除去しないと、ケーブル配線の妨げとなることもあった。
【０００７】
また、形成されたＰＣ壁は、上面にボックスが大きく突出した状態となるため、邪魔であり、また運搬時に何らかの衝撃で破損してしまうおそれもあるため、運搬性の妨げにもなっていた。
【０００８】
本発明は、上記の各問題点に鑑みて、プレキャストコンクリート壁に対して配線用ボックスを後付け可能とすることによって上記問題を解消できる点に気付き案出されたもので、その解決しようとする課題は、以下の如くである。
【０００９】
【特許文献１】特開平６−３５１１３０号公報（図２）
【００１０】
【発明の解決しようとする課題】
即ち本発明は、ハーフＰＣ工法において用いられるプレキャストコンクリート壁において、該プレキャストコンクリート壁に対して配線用ボックスを後付け可能とすることにより、該配線用ボックスに対する電線管の接続作業の容易化を実現できる、プレキャストコンクリート壁又は配線用ボックスを提供することを目的とするものである。
【００１１】
【課題を解決するための手段】
上記の課題を解決すべく本発明の採った手段を以下に示す。
【００１２】
まず、請求項１に係る発明は、プレキャストコンクリート壁と打設コンクリート壁との二層構造により建物壁を形成するハーフＰＣ工法における、前記プレキャストコンクリート壁の形成方法であって、形成されるプレキャストコンクリート壁の下面側に臨む下面開口１２と、該プレキャストコンクリート壁の上面側に臨む上面開口１１と、該上面開口１１側に設けられて配線用ボックス４０の取り付けが可能な取付部１８とを備えた枠体部材１０を、当該枠体部材１０の上面開口１１をカバー部材３０で覆った状態で前記プレキャストコンクリート壁を形成する型枠５０に固定し、当該型枠５０内にコンクリートを打設することにより、前記枠体部材１０から前記カバー部材３０を除去した際に、前記上面開口１１及び取付部１８が上面側に臨まされるとともに、前記配線用ボックス４０の開口を前記上面開口１１に臨ませて、上面側から該ボックスを前記取付部１８に取り付け可能とする、プレキャストコンクリート壁を形成することを特徴とするものである。
【００１３】
即ち、本請求項に係るプレキャストコンクリート壁の形成方法は、プレキャストコンクリート壁を形成するにあたり、型枠５０内の底部に対し、配線空間を確保する枠体部材１０を固定すると共に、該枠体部材１０の上面開口１１をカバー部材３０にて被覆して、コンクリートを打設して硬化させることにより、該プレキャストコンクリート壁の下面側に下面開口１２を臨ませると共に、該プレキャストコンクリート壁の上面側からはカバー部材３０を除去することによって上面開口１１を臨ませて、該上面開口１１に対し、別部材に係る配線用ボックス４０を取付可能とするものである。
【００１４】
従って本請求項に係る発明によれば、形成されたプレキャストコンクリート壁に対して別部材に係る配線用ボックス４０を後付けすることが可能となる。即ち、該プレキャストコンクリート壁へ電線管４３を接続する際にあっては、該プレキャストコンクリート壁内に埋設された配線用ボックス４０に対して直接的に電線管４３を接続する必要がないのである。そのため、例えば「多数のカイザー筋」が突出した場所であっても、作業者による電線管４３の接続作業を容易なものとすることができるのである。
【００１５】
次に、請求項２に係る発明は、請求項１に記載のプレキャストコンクリート壁の形成方法において、前記枠体部材１０は、下面開口１２側に配線器具や感知器等の電気器具が取り付け可能な器具取付部２１を備えたことを特徴とするものである。
【００１６】
本請求項に係る発明によれば、請求項１に記載の優位な特徴に加え、プレキャストコンクリート壁の下面に対する電気器具の取付が容易となるので、施行現場における作業性を向上させることが可能となるのである。
【００１７】
請求項３に係る発明は、請求項１又は請求項２に記載のプレキャストコンクリート壁の形成方法において、前記枠体部材１０は、複数の枠材の組み付けにより構成され、プレキャストコンクリート壁の壁厚に応じて高さ調整可能に設けられることを特徴とするものである。
【００１８】
本請求項に係る発明によれば、プレキャストコンクリート壁内に埋設される枠体部材１０の高さ寸法が、形成されるプレキャストコンクリート壁の厚みに応じて容易に変化させることができるため、該プレキャストコンクリート壁の多様化を図ることが可能となる。
【００１９】
請求項４に係る発明は、請求項２又は請求項３の何れかに記載のプレキャストコンクリート壁の形成方法において、前記枠体部材１０は、下面開口１２を形成すると共に前記器具取付部２１を備えた器具取付枠と、該器具取付枠に取り付けられて上面開口１１を形成すると共に、別部材に係る配線用ボックス４０の取り付けが可能な取付部１８を備えた継枠部材１３とで形成され、前記継枠部材１３は、複数積層できるように相互に組み付けられて、プレキャストコンクリート壁の壁厚に応じて高さ調整可能に設けられることを特徴とするものである。
【００２０】
本請求項に係る発明によれば、プレキャストコンクリート壁の下面に対する電気器具の取付が容易となって施行現場における作業性を向上させることが可能となると共に、当該プレキャストコンクリート壁の厚みに応じて枠体部材１０の高さ寸法を容易に変化させることができるので、該プレキャストコンクリート壁の多様化を図ることが可能となる。
【００２１】
請求項５に係る発明は、請求項１乃至請求項４に記載のプレキャストコンクリート壁の形成方法において、前記枠体部材１０は、前記型枠５０に固定された固定具６０に、下面開口１２側が固定されて型枠５０に固定することを特徴とするものである。
【００２２】
本請求項に係る発明によれば、プレキャストコンクリート壁を形成する際に、枠体部材１０を所期の位置へ正確且つ容易に固定できるので、該プレキャストコンクリート壁の製造効率を向上させることが可能となるのである。
【００２３】
請求項６に係る発明は、プレキャストコンクリート壁と打設コンクリート壁との二層構造により建物壁を形成するハーフＰＣ工法において、前記建物壁内に配線用ボックス４０を埋設すべく、前記プレキャストコンクリート壁に配線用ボックス４０を固定する方法であって、形成されるプレキャストコンクリート壁の下面側に臨む下面開口１２と、該プレキャストコンクリート壁の上面側に臨む上面開口１１と、該上面開口１１側に設けられ、配線用ボックス４０を取り付け可能な取付部１８とを備えた枠体部材１０を、当該枠体部材１０の上面開口１１をカバー部材３０で覆った状態で前記プレキャストコンクリート壁を形成する型枠５０に固定し、当該型枠５０内にコンクリートを打設することによって、前記プレキャストコンクリート壁を形成し、前記枠体部材１０から前記カバー部材３０を除去して、前記上面開口１１及び取付部１８をプレキャストコンクリート壁の上面側に臨ませ、前記配線用ボックス４０の開口を前記上面開口１１に臨ませて、上面側から該ボックスを前記取付部１８に取り付けることにより、プレキャストコンクリート壁に配線用ボックス４０を固定することを特徴とするものである。
【００２４】
即ち、本請求項に係る配線用ボックス４０の固定方法は、プレキャストコンクリート壁を形成するにあたり、型枠５０内の底部に対し、上面開口１１と下面開口１２とを有する枠体部材１０を固定すると共に、該枠体部材１０の上面開口１１をカバー部材３０にて被覆して、コンクリートを打設して硬化させ、形成されたプレキャストコンクリート壁の上面側からカバー部材３０を除去することによって上面開口１１を臨ませて、該上面開口１１に対して、配線用ボックス４０を取付可能とするものである。
【００２５】
従って本請求項に係る発明によれば、形成されたプレキャストコンクリート壁に対して別部材に係る配線用ボックス４０を後付けすることが可能となる。即ち、該プレキャストコンクリート壁へ電線管４３を接続する際にあっては、該プレキャストコンクリート壁内に埋設された配線用ボックス４０に対して直接的に電線管４３を接続する必要がないのである。そのため、例えば「多数のカイザー筋」が突出した場所であっても、作業者による電線管４３の接続作業を容易なものとすることができるのである。
【００２６】
請求項７に係る発明は、請求項６に記載のプレキャストコンクリート壁への配線用ボックス４０の固定方法において、前記配線用ボックス４０は、側壁に電線管４３が接続された状態で、前記枠体部材１０に取り付けられることを特徴とするものである。
【００２７】
本請求項に係る発明によれば、形成されたプレキャストコンクリート壁の枠体部材１０の取付部１８に対し、別部材に係る配線用ボックス４０に電線管４３を接続してから取り付けることが可能となるので、作業者による電線管４３の接続作業を容易なものとすることができるのである。
【００２８】
請求項８に係る発明は、請求項６又は請求項７に記載のプレキャストコンクリート壁への配線用ボックス４０の固定方法において、前記枠体部材１０は、下面開口１２側に配線器具や感知器等の電気器具が取り付け可能な器具取付部２１を備えたことを特徴とするものである。
【００２９】
本請求項に係る発明によれば、請求項６又は請求項７に記載の優位な特徴に加え、プレキャストコンクリート壁の下面に対する電気器具の取付が容易となるので、施行現場における作業性を向上させることが可能となるのである。
【００３０】
請求項９に係る発明は、請求項６乃至請求項８の何れかに記載のプレキャストコンクリート壁への配線用ボックス４０の固定方法において、前記枠体部材１０は、複数の枠材の組み付けにより構成され、プレキャストコンクリート壁の壁厚に応じて高さ調整可能に設けられることを特徴とするものである。
【００３１】
本請求項に係る発明によれば、プレキャストコンクリート壁内に埋設される型枠５０に固定される枠体部材１０の高さ寸法が、形成されるプレキャストコンクリート壁の厚みに応じて容易に変化させることができるため、該プレキャストコンクリート壁の多様化を図ることが可能となる。
【００３２】
請求項１０に係る発明は、請求項８又は請求項９に記載のプレキャストコンクリート壁への配線用ボックス４０の固定方法において、前記枠体部材１０は、下面開口１２を形成するとともに前記器具取付部２１を備えた器具取付枠と、該器具取付枠に取り付けられて上面開口１１を形成すると共に、別部材に係る配線用ボックス４０の取り付けが可能な取付部１８を備えた継枠部材１３とで形成され、前記継枠部材１３は、複数積層できるように相互に組み付けられて、プレキャストコンクリート壁の壁厚に応じて高さ調整可能に設けられることを特徴とするものである。
【００３３】
本請求項に係る発明によれば、プレキャストコンクリート壁の下面に対する電気器具の取付が容易となって施行現場における作業性を向上させることが可能となると共に、当該プレキャストコンクリート壁の厚みに応じて枠体部材１０の高さ寸法を容易に変化させることができるので、該プレキャストコンクリート壁の多様化を図ることが可能となる。
【００３４】
請求項１１に係る発明は、請求項６乃至請求項１０に記載のプレキャストコンクリート壁への配線用ボックス４０の固定方法において、前記枠体部材１０は、前記型枠５０に固定された固定具６０に、下面開口１２側が固定されて型枠５０に固定することを特徴とするものである。
【００３５】
本請求項に係る発明によれば、枠体部材１０を所期の位置へ固定するにあたり、正確な位置に対して容易に固定できるので、該プレキャストコンクリート壁の製造効率を向上させることが可能となるのである。
【００３６】
請求項１２に係る発明は、プレキャストコンクリート壁と打設コンクリート壁との二層構造により建物壁を形成するハーフＰＣ工法に用いる前記プレキャストコンクリート壁であって、該プレキャストコンクリート壁はその内部に枠体部材１０を埋設してなり、該枠体部材１０は、前記プレキャストコンクリート壁の下面側に臨む下面開口１２と、該プレキャストコンクリート壁の上面側に臨む上面開口１１と、該プレキャストコンクリート壁の上面側に臨まされて、配線用ボックス４０の取り付けが可能な取付部１８とを備えたことを特徴とするものである。
【００３７】
本請求項に係る発明によれば、上面開口１１の取付部１８に対して別部材に係る配線用ボックス４０を後付けできるために電線管４３を接続してから取り付けることが可能となり、作業者による電線管４３の接続作業を容易なものとすることができるのである。
【００３８】
請求項１３の発明に係る配線空間形成装置は、プレキャストコンクリート壁に埋設されることにより、当該プレキャストコンクリート壁内に配線空間を形成して、該プレキャストコンクリート壁の下面側に下面開口１２を臨ませると共に、該プレキャストコンクリート壁の上面側に上面開口１１と配線用ボックス４０の取付を可能にする取付部１８とを臨ませる枠体部材１０と、当該枠体部材１０の上面開口１１を覆って該枠体部材１０内側へのコンクリートの進入を防止するカバー部材３０と、を有することを特徴とするものである。
【００３９】
本請求項に係る発明によれば、プレキャストコンクリート壁を形成する際に、外側へと連通する開口を有する配線空間を、該プレキャストコンクリート壁の内側へ容易に設けることが可能となり、尚且つ、コンクリートが前記接続空間内に流入することを防止できる。
【００４０】
請求項１４の発明に係る配線空間形成装置は、プレキャストコンクリート壁に埋設されることにより、当該プレキャストコンクリート壁内に配線空間を形成して、該プレキャストコンクリート壁の下面側に下面開口１２を臨ませると共に、該プレキャストコンクリート壁の上面側に上面開口１１と配線用ボックス４０の取付を可能にする取付部１８とを臨ませる枠体部材１０と、当該枠体部材１０の上面開口１１に取り付けられることにより、該枠体部材１０内側へのコンクリートの進入を防止すると共に、前記取付部１８へのコンクリートの付着を防止するカバー部材３０と、を有することを特徴とするものである。
【００４１】
本請求項に係る発明によれば、プレキャストコンクリート壁を形成する際に、外側へと連通する開口を有する配線空間を、当該プレキャストコンクリート壁の内側へ容易に設けることが可能となり、尚且つ、該プレキャストコンクリート壁を形成すべくコンクリートを打設する際に、枠体部材１０の上面開口１１にカバー部材３０を係止させることによって、コンクリートが前記接続空間内に流入することを防止できる。
【００４２】
請求項１５の発明に係る配線空間形成装置は、プレキャストコンクリート壁に埋設されることにより、当該プレキャストコンクリート壁内に配線空間を形成して、該プレキャストコンクリート壁の下面側に下面開口１２を臨ませると共に、該プレキャストコンクリート壁の上面側に上面開口１１と配線用ボックス４０の取付を可能にする取付部１８とを臨ませる枠体部材１０と、当該枠体部材１０の上面開口１１を覆って該枠体部材１０内側へのコンクリートの進入を防止するカバー部材３０と、前記プレキャストコンクリートが形成されて、前記カバー部材３０を除去した後に前記枠体部材１０の取付部１８に取り付けられ、側面又は底面に電線管４３の接続を可能とする配線用ボックス４０と、を有することを特徴とするものである。
【００４３】
本請求項に係る発明によれば、プレキャストコンクリート壁を形成する際に、外側へと連通する開口を有する配線空間を、該プレキャストコンクリート壁の内側へ容易に設けることが可能となると共に、コンクリートが前記接続空間内に流入することを防止でき、尚且つ、該プレキャストコンクリート壁が形成された後には、枠体部材１０の取付部１８に対して別部材に係る配線用ボックス４０を後付けできるために電線管４３を接続してから取り付けることが可能となり、作業者による電線管４３の接続作業を容易なものとすることができるのである。
【００４４】
請求項１６の発明に係る配線空間形成装置は、プレキャストコンクリート壁に埋設されることにより、当該プレキャストコンクリート壁内に配線空間を形成して、該プレキャストコンクリート壁の下面側に下面開口１２を臨ませると共に、該プレキャストコンクリート壁の上面側に上面開口１１と配線用ボックス４０の取付を可能にする取付部１８とを臨ませる枠体部材１０と、当該枠体部材１０の上面開口１１に取り付けられることにより、該枠体部材１０内側へのコンクリートの進入を防止すると共に、前記取付部１８へのコンクリートの付着を防止するカバー部材３０と、前記プレキャストコンクリートが形成されて、前記カバー部材３０を除去した後に前記枠体部材１０の取付部１８に取り付けられ、側面又は底面に電線管４３の接続を可能とする配線用ボックス４０と、を有することを特徴とするものである。
【００４５】
本請求項に係る発明によれば、プレキャストコンクリート壁を形成する際に、外側へと連通する開口を有する配線空間を、該プレキャストコンクリート壁の内側へ容易に設けることが可能となると共に、該プレキャストコンクリート壁を形成すべくコンクリートを打設する際に、枠体部材１０の上面開口１１にカバー部材３０を係止させることによって、コンクリートが前記接続空間内に流入することを防止でき、尚且つ、該プレキャストコンクリート壁が形成された後には、枠体部材１０の取付部１８に対して別部材に係る配線用ボックス４０を後付けできるために電線管４３を接続してから取り付けることが可能となり、作業者による電線管４３の接続作業を容易なものとすることができるのである。
【００４６】
請求項１７の発明に係るカバー部材３０は、プレキャストコンクリート壁を成型する際に、該プレキャストコンクリート壁内に埋設される枠体部材１０の上面開口１１を被覆して、該枠体部材１０内側へのコンクリートの進入を防止すると共に、前記取付部１８を保護することを特徴とするものである。
【００４７】
本請求項に係る発明によれば、枠体部材１０内側へのコンクリートの流入を防止できるので、プレキャストコンクリート壁の内側に対して配線空間を確実に設けることが可能となり、配線用ボックス４０との取付部１８をコンクリートの付着から保護することが可能となる。
【００４８】
【発明の実施の形態】
以下、本発明に係る技術的思想を、実施例に具現化して説明する。
【００４９】
（実施例１）
図１は、本発明に係るプレキャストコンクリート壁に埋設される枠体部材１０を示すものである。
【００５０】
本実施例に係る枠体部材１０は、図１に示すように、上面側と下面側にそれぞれ開口部を構成すべく継枠部材１３とボックスカバー２０とを有するものである。そして、該ボックスカバー２０を継枠部材１３に装着して、プレキャストコンクリート壁の形成型枠５０の底部に固定され、該型枠５０内にコンクリートが打設されて硬化した後には、該プレキャストコンクリート壁に内蔵されて、当該枠体部材１０における各開口部が上面開口１１又は下面開口１２として、該プレキャストコンクリート壁の表面に臨むこととなる。
【００５１】
まず、継枠部材１３というのは、図１に示すような四角形状や、或いは図１５に示すような八角形状等の枠状に構成され、複数の該継枠部材１３を相互に積層することによって、形成されるプレキャストコンクリート壁の厚みに応じ、別部材に係る配線用ボックス４０の取り付け高さを調整可能とするものである。
【００５２】
そして、当該継枠部材１３の具体的構成は、図１又は図３に示すように、まず、その上面開口１１側を略拡開形状とし、下面開口１２側を略縮径形状とする共に、それぞれの開口部の周縁部分に係合部１４を形成している。即ち、一方の開口周縁部分には係止爪１５を突設すると共に、他方の開口周縁部分には該係止爪１５と係合可能な凹部１６が形成するのである。かかる構成を採ることにより、複数の継枠部材１３を相互に積み重ねが可能となると共に、積み重ねた状態において相互に離脱することなく固定することが可能となるのである。
【００５３】
さらに、当該枠体部材１０の上面開口１１側には、図４、図５又は図１５に示すように、別部材に係る配線用ボックス４０が取り付けられることとなる。本発明においては、枠体部材１０における配線用ボックス４０を取り付ける部位を「取付部１８」としている。即ち、複数の継枠部材１３を相互に積層してなる枠体部材１０における、最上部に配置された継枠部材１３の上面開口側に設けた係合部１４が「取付部１８」に相当することとなるのである。
【００５４】
そして、本実施例においては、前記取付部１８に前記配線用ボックス４０を装着するにあたり、該配線用ボックス４０における継枠部材１３の上面開口１１（即ち、取付部１８）に対する接合部分の形状は、図３又は図４に示すように、前記継枠部材１３における下面開口１２側に設けた係止爪１５と略同一の形状に構成している。かかる構成によれば、相互に積層された複数の継枠部材１３のうちの何れの継枠部材１３が前記配線用ボックス４０と対面したとしても、当該継枠部材１３に設けた凹部１６に対して、当該配線用ボックス４０に設けた係止爪１５を係合させることができ、当該継枠部材１３を有する枠体部材１０に対して前記配線用ボックス４０を容易且つ確実に取り付けることが可能となるのである。
【００５５】
勿論、本発明は上記の構成に特段限定されるものではなく、例えば、継枠部材１３相互間の接合を行う係合部１４と、当該継枠部材１３と配線用ボックス４０との接合を行う取付部１８とは、それぞれ異なる形状のものを採用してもよいことを付言する。かかる構成を採った場合には、複数の継枠部材１３を積層して構成される枠体部材１０における（配線用ボックス４０と対面する）最上部には、他の継枠部材１３とは異なる専用形状の取付部１８を備えた継枠部材１３を配置して、当該専用形状の取付部１８を備えた継枠部材１３に対して配線用ボックス４０装着させることとなる。
【００５６】
尚、本実施例において配線用ボックス４０は、図４に示すように有底の箱形状とし、該箱の側面部にノック部を形成し、該ノックを必要に応じて打ち抜くことにより、電線管４３との接続を行うことができるように構成している。更に、当該配線用ボックス４０は、図４に示す構成に限定されるものではなく、図５に示すように、四辺に側面部を有し底面を備えない貫通形とし、該側面部にノック部を形成した配線用ボックス４０の採用も考えられる。かかる構成を採った場合には、接続を行った後に別部材に係るプレート部材４１を係合させる、或いは、ねじ止めするなどして、前記「貫通」部分を閉塞することができる。勿論、前記枠体部材１０を図１５に示すように、八角形状とした場合には、配線用ボックス４０についても図１６に示すように、八角形状のものを採用すべきである。
【００５７】
次に、ボックスカバー２０というのは、前記プレキャストコンクリート壁における下面開口１２を構成するものであって、上記枠体部材１０の下面側に設けられるものである。
【００５８】
このボックスカバー２０は、特許請求の範囲において記載した「器具取付枠」に相当するもので、図２に示すように、配線器具や感知器等の電気器具の容易な取り付けを可能とする器具取付部２１を備えている。即ち、該ボックスカバー２０を継枠部材１３に装着して、前記プレキャストコンクリート壁に埋設した場合には、開口部と共に器具取付部２１が該プレキャストコンクリート壁の下面側に臨まされるので、施工現場において、該器具取付部２１に対する電気器具の取付を容易なものとすることができるのである。
【００５９】
また、このボックスカバー２０は、図１乃至図３に示すように、前記継枠部材１３の下面側に固定すべく、該ボックスカバー２０の上面側に係合部１４を備えている。当該係合部１４は、上述した継枠部材１３の上面開口１１側に設けた係合部１４と略同一の形状として形成している。即ち、前記継枠部材１３は、形成されるプレキャストコンクリート壁の厚みによっては複数の継枠部材１３を相互に積層されるものであるため、当該ボックスカバー２０が何れの継枠部材１３と対面することとなっても、該継枠部材１３に対してボックスカバー２０を確実に装着可能とするためである。
【００６０】
かかる構成を採ることにより、形成されるプレキャストコンクリート壁の厚みに応じて、複数の継枠部材１３を相互に積層するすることによって配線用ボックス４０の取り付け高さが調整でき、尚且つ、相互に積層された複数の枠体部材１０のうち何れが最下部に配置されたとしても、該枠体部材１０に対してボックスカバー２０を確実に装着することができ、尚且つ、該ボックスカバー２０における器具取付部２１により、該プレキャストコンクリート壁の下面側に対し電気器具を容易に取り付けることが可能となるのである。
【００６１】
続いて図６は、本実施例におけるカバー部材３０を示すものである。本発明においてカバー部材３０というのは、プレキャストコンクリート壁を形成する際に型枠５０底部に固定される枠体部材１０の上面開口１１に対して装着することにより、該枠体部材１０内側へコンクリートが進入することを防止するものであって、プレキャストコンクリート壁を形成すべく型枠内にコンクリートを打設する際に、当該コンクリートが、前記枠体部材１０における前記取付部１８に対して付着することを防止するものである。
【００６２】
本実施例においてカバー部材３０は、図６に示すように、相互に嵌合可能な嵌合部３１を上端部に備えた２つの分割体からなるものである。これら２つの分割体からなるカバー部材３０の下端には突出部３６が形成されており、この突出部３６を前記枠体部材１０の上端部に設けたフランジ部１７に左右からそれぞれ係合させると共に、これら２つの分割体を相互に近接させるべくスライドさせる。そして、図７に示すように、該枠体部材１０における上面開口１１の中央付近で相互に嵌合させて一体化するものである。上記２つの分割体を一体化することによって、カバー部材３０下端の突出部３６と枠体部材１０上端のフランジ部１７とが係合するため、前記枠体部材１０上に略密閉状態の「フタ」を構成できるのである。
【００６３】
また、本実施例に係るカバー部材３０は、図８の断面図に示すように、その上面を傾斜した「屋根形」に形成しているので、プレキャストコンクリート壁の型枠５０内にコンクリートを打ち込んだ際に、コンクリートが当該カバー部材３０上に掛かった場合にあっても、このコンクリートが該カバー部材３０の周囲へと流れるため、所謂「上かぶり」の状態でコンクリートが硬化してしまうことを防止できるのである。
【００６４】
さらに、このカバー部材３０は「屋根形」に形成したことから、その高さ位置によっては内側寸法が変化することとなる。即ち、図８に示すように、屋根形部分の下側付近の箇所では相互の内側寸法が長くなるが、該屋根形部分の上側付近の箇所では相互の内側寸法が短くなる。そのため、異なった高さ位置に係合部１４を設けることによって、異なる外形寸法に係る枠体部材１０に対しても装着することが可能となるのである。特に本実施例においては、２箇所の高さ位置に係合部１４を設けており、図４に示す四角形状に係る大型枠５０体部材１０と、図１６に示す八角形状に係る小型枠５０体部材１０との、それぞれに装着可能として汎用性を高めている。
【００６５】
また、上記カバー部材３０は、図６に示すように、それぞれの分割体の上端部に半月状の溝が形成されており、これら分割体を相互に嵌合させて一体の「フタ」を構成した際には、その中央部分に貫通穴が形成されることとなる。
【００６６】
この貫通穴は、図１０に示すように、下方へ進むに伴って縮径するテーパー形状となっており、弾性材料からなる断面Ｃ型の円柱部材を挿通としている。この断面Ｃ型の円錐台部材３３には、図１１に示すように、そのスリット部分から棒３４を挿通可能となっており、この棒３４の先端にはマグネット３５が設けられるものとしている。このマグネット３５は、前記枠体部材１０を固定すべくボックスカバー２０の開口部に係合する固定具６０の被磁性体部分に吸着することとなる。
【００６７】
即ち、当該カバー部材３０を枠体部材１０に固定するにあたっては、まず、図１０に示すように、前記枠体部材１０のボックスカバー２０に係合する固定具６０における被磁性体部分にマグネット３５を吸着させる。次に、該マグネット３５に一端が接続されて他端が上方に向けて直立する棒３４が、図１１に示すように、当該カバー部材３０中央部の貫通穴に挿通した状態となるように、２つの分割体からなる該カバー部材３０を前記枠体部材１０の上端に対して左右から装着すると共に、図７に示すように、該カバー部材３０を前記枠体部材１０の中央付近にて相互に嵌合させる。このとき、図７ではフタを装着した状態となっているが、前記マグネット３５に接続された棒３４が、図１１に示すように、カバー部材３０中央の貫通穴から突出した状態となる。そして、この棒３４の側方から弾性材料からなる断面Ｃ型の円錐台部材３３を装着すると共に、図１０に示すように、該円錐台部材３３をテーパー状に構成した前記貫通穴へと押し込む。すると、該円錐台部材３３の内周面にて棒３４を挟持すると共に、該円錐台部材３３がテーパー状の貫通穴へと深く入り込むこととなる。然るに、円錐台部材３３がテーパー状の貫通穴に深く入り込んだ際には、該円錐台部材３３に対してテーパー状の貫通穴から押し出そうとする押し出し作用が発生することとなる。かかる押し出し作用によって円錐台部材３３はカバー部材３０の貫通穴から、上方へと移動しようとすることとなる。このとき該円錐台部材３３はその内周面にて棒３４を挟持しているので、棒３４を挟持したまま上方へと移動しようとすることとなる。しかし、当該棒３４はその先端部分がマグネット３５に接続されており、該マグネット３５は前記固定具６０の被磁性体部分に吸着している。そのため、該マグネット３５に接続された棒３４は前記固定具６０から離れることができないので、該棒３４を内周面にて挟持する円錐台部材３３も貫通穴上方への移動ができず、前記押し出し作用によって、該円錐台部材３３が前記貫通穴を介して前記カバー部材３０を枠体部材１０方向に向けて押し付けることとなるのである。
【００６８】
従って、前記枠体部材１０にカバー部材３０を装着するにあたり、該枠体部材１０を固定する固定具６０に対して、先端にマグネット３５を備えた棒３４を吸着させた場合には、当該カバー部材３０の貫通穴から前記棒３４を突出させると共に該棒３４に円錐台部材３３を挿通させ、該円錐台部材３３をカバー部材３０の貫通穴に強く押し込むことによって、該円錐台部材３３がカバー部材３０を枠体部材１０に対して押し付けることとなり、該枠体部材１０からカバー部材３０が外れてしまうことを防止できるのである。尚、上記の如くマグネット３５を使わなくとも、図１２に示すように、カバー部材３０に設けたフックに針金の一端を掛け合わせると共に、該針金の他端を、補強材としてプレキャストコンクリート壁内に埋設される鉄筋５１に掛け合わせることにより、該カバー部材３０を枠体部材１０に固定するものとしてもよいことを付言する。
【００６９】
尚、上記枠体部材１０の開口部分に対し粘着テープを貼着して閉塞させることにより、該枠体部材１０の内側へのコンクリートの流入は防止できる。このとき、当該枠体部材１０における「配線用ボックス４０を取り付けるための取付部１８」が該枠体部材１０の内側に設けられている場合には、当該「取付部１８」もコンクリートの付着から保護できる。更に、該取付部１８に対して粘着テープを直に貼着することにより、該取付部１８に対してコンクリートが付着することを防止できる点についても付言する。かかる場合には、当該粘着テープが上述のカバー部材３０の役割を担うこととなる。
【００７０】
さらに、前記枠体部材１０に対して、打ち抜き可能なノックを有する継枠部材１３を接合させ、コンクリートを打設した後に前記ノックを打ち抜くことにより、該ノックアウト部分に対して配線用ボックス４０を接合可能にするよう構成してもよい。かかる場合には、当該ノックが上述のカバー部材３０の役割を担うこととなる。
【００７１】
そして、上記カバー部材３０と上述の枠体部材１０とを組み合わせることにより、請求項１４に記載の配線空間形成装置が構成されることとなる。又、当該配線空間形成装置に対して前記配線用ボックス４０を組み合わせることにより、請求項１６に記載の配線空間形成装置が構成されることとなる。
【００７２】
一方、前記プレキャストコンクリート壁を形成するにあたり、当該プレキャストコンクリート壁の上面から上面開口１１周縁のフランジ部１７が突出した状態を添付図面において示しているが、本発明はこれに限定されるものではなく、上面開口１１の周縁部が前記プレキャストコンクリート壁の上面と同面一となるよう、該プレキャストコンクリート壁を形成してもよい。更には、配線ボックス４０との接合が可能であることを条件として、前記プレキャストコンクリート壁の上面から窪ませた位置に、前記上面開口１１の周縁部が配置されるよう、該プレキャストコンクリート壁を形成してもよいのである。
【００７３】
（実施例２）
図１３は、本発明に係る形成方法によって形成された、実施例２に係るプレキャストコンクリート壁を示すものである。
【００７４】
本実施例に係るプレキャストコンクリート壁は、図４に示すように、その内側に配線用ボックス４０との取り付けが可能な枠体部材１０が埋設されてなるものである。該プレキャストコンクリート壁の上面側には前記枠体部材１０の上面開口１１が、そして、下面側には前記枠体部材１０の下面開口１２が、それぞれ臨まされて構成している。
【００７５】
このプレキャストコンクリート壁を形成する際には、まず、図８に示すように、当該プレキャストコンクリート壁を形成する型枠５０内に、該プレキャストコンクリート壁の補強材となる鉄筋５１（カイザー筋）を配設すると共に、当該型枠５０内の底部に設けた固定具６０にて枠体部材１０を固定する。そして、図６に示すように、該枠体部材１０の上端部分、即ち、上面開口１１周縁のフランジ部１７に対して、２分割体からなるカバー部材３０を左右からそれぞれ係合させると共にスライドさせ、これら２分割体を前記上面開口１１の中央付近で嵌合させて一体化し、略密閉状態の「フタ」を構成することとなる。
【００７６】
斯くして、「フタ」を備えた枠体部材１０が底部に固定された型枠５０内に、図９に示すようにコンクリートを打設する。打設されたコンクリートが硬化した後には前記型枠５０から形成されたプレキャストコンクリート壁を取り出す。そして、型枠５０から取り出されたプレキャストコンクリート壁から、図９に示すカバー部材３０を除去すると、図１３に示すように、該プレキャストコンクリート壁の上面側に前記枠体部材１０の上面開口１１が臨まされることとなる。
【００７７】
この上面開口１１の周縁部分には、別部材に係る配線用ボックス４０と接続可能な取付部１８を備えている。本実施例において当該取付部１８は、上記枠体部材１０の上端側に、配線用ボックス４０の係止爪１５に係合可能な凹部１６を設け、これらを相互に係合させるものとしている。
【００７８】
従って、本実施例に係るプレキャストコンクリート壁によれば、上記構成を採ることにより、配線空間を備えると共に、該配線空間へと連通する配線用ボックス４０を後付けすることが可能となる。
【００７９】
即ち、配線用ボックス４０の後付けが可能となることから、当該配線用ボックス４０に対して接続コネクタ４２を固定する作業を、プレキャストコンクリート壁から独立して行うことができる。このプレキャストコンクリート壁が配設される施工現場においては、当該プレキャストコンクリート壁から補強材である鉄筋５１（カイザー筋）が多数突出しているが、これら多数のカイザー筋に邪魔されることなく前記接続コネクタ４２の固定作業が可能となる。
【００８０】
そのため、当該プレキャストコンクリート壁を所期の位置に配設した後に、図１３に示すが如く、該該プレキャストコンクリート壁の上面に臨まされる枠体部材１０の上面開口１１に対して、予め接続コネクタ４２（及び、電線管４３）が設けられた配線用ボックス４０を後付けすることが可能となり、施工現場における作業性を向上させることができるのである。
【００８１】
そして、所期の位置に配設されたプレキャストコンクリート壁を型枠５０として、「現場打ち」のコンクリートを打設し、該打設コンクリートが硬化した後には、図１４に示すように、配線空間及び電線管４３を内側に有する建物壁が構成されることとなる。
【００８２】
【発明の効果】
本発明は、以下に示す効果を奏することとなる。
【００８３】
まず、請求項１に係る発明は、プレキャストコンクリート壁と打設コンクリート壁との二層構造により建物壁を形成するハーフＰＣ工法における、前記プレキャストコンクリート壁の形成方法であって、形成されるプレキャストコンクリート壁の下面側に臨む下面開口と、該プレキャストコンクリート壁の上面側に臨む上面開口と、該上面開口側に設けられて配線用ボックスの取り付けが可能な取付部とを備えた枠体部材を、当該枠体部材の上面開口をカバー部材で覆った状態で前記プレキャストコンクリート壁を形成する型枠に固定し、当該型枠内にコンクリートを打設することにより、前記枠体部材から前記カバー部材を除去した際に、前記上面開口及び取付部が上面側に臨まされるとともに、前記配線用ボックスの開口を前記上面開口に臨ませて、上面側から該ボックスを前記取付部に取り付け可能とする、プレキャストコンクリート壁を形成することに、その構成上の特徴を有するものである。
【００８４】
そして、本請求項に係る発明によれば、形成されたプレキャストコンクリート壁に対して別部材に係る配線用ボックスを後付けすることが可能となるので、該プレキャストコンクリート壁へ電線管を接続する際にあっても、該プレキャストコンクリート壁への直接的な接続を回避できるので、作業者による電線管の接続作業を容易なものとすることができるという効果を奏するのである。
【００８５】
次に、請求項２に係る発明は、請求項１に記載のプレキャストコンクリート壁の形成方法において、前記枠体部材は、下面開口側に配線器具や感知器等の電気器具が取り付け可能な器具取付部を備えたことに、その構成上の特徴を有するものである。
【００８６】
そして、本請求項に係る発明によれば、請求項１に記載の効果に加え、プレキャストコンクリート壁の下面に対する電気器具の取付が容易となるので、施行現場における作業性を向上させることが可能となるという効果を奏するのである。
【００８７】
請求項３に係る発明は、請求項１又は請求項２に記載のプレキャストコンクリート壁の形成方法において、前記枠体部材は、複数の枠材の組み付けにより構成され、プレキャストコンクリート壁の壁厚に応じて高さ調整可能に設けられることに、その構成上の特徴を有するものである。
【００８８】
そして、本請求項に係る発明によれば、プレキャストコンクリート壁内に埋設される枠体部材の高さ寸法が、形成されるプレキャストコンクリート壁の厚みに応じて容易に変化させることができるため、該プレキャストコンクリート壁の多様化を図ることが可能となるという効果を奏するのである。
【００８９】
請求項４に係る発明は、請求項２又は請求項３の何れかに記載のプレキャストコンクリート壁の形成方法において、前記枠体部材は、下面開口を形成すると共に前記器具取付部を備えた器具取付枠と、該器具取付枠に取り付けられて上面開口を形成すると共に、別部材に係る配線用ボックスの取り付けが可能な取付部を備えた継枠部材とで形成され、前記継枠部材は、複数積層できるように相互に組み付けられて、プレキャストコンクリート壁の壁厚に応じて高さ調整可能に設けられることに、その構成上の特徴を有するものである。
【００９０】
そして、本請求項に係る発明によれば、プレキャストコンクリート壁の下面に対する電気器具の取付が容易となって施行現場における作業性を向上させることが可能となると共に、当該プレキャストコンクリート壁の厚みに応じて枠体部材の高さ寸法を容易に変化させることができるので、該プレキャストコンクリート壁の多様化を図ることが可能となるという効果を奏するのである。
【００９１】
請求項５に係る発明は、請求項１乃至請求項４に記載のプレキャストコンクリート壁の形成方法において、前記枠体部材は、前記型枠に固定された固定具に、下面開口側が固定されて型枠に固定することに、その構成上の特徴を有するものである。
【００９２】
そして、本請求項に係る発明によれば、プレキャストコンクリート壁を形成する際に、枠体部材を所期の位置へ正確且つ容易に固定できるので、該プレキャストコンクリート壁の製造効率を向上させることが可能となるという効果を奏するのである。
【００９３】
請求項６に係る発明は、プレキャストコンクリート壁と打設コンクリート壁との二層構造により建物壁を形成するハーフＰＣ工法において、前記建物壁内に配線用ボックスを埋設すべく、前記プレキャストコンクリート壁に配線用ボックスを固定する方法であって、形成されるプレキャストコンクリート壁の下面側に臨む下面開口と、該プレキャストコンクリート壁の上面側に臨む上面開口と、該上面開口側に設けられ、配線用ボックスを取り付け可能な取付部とを備えた枠体部材を、当該枠体部材の上面開口をカバー部材で覆った状態で前記プレキャストコンクリート壁を形成する型枠に固定し、当該型枠内にコンクリートを打設することによって、前記プレキャストコンクリート壁を形成し、前記枠体部材から前記カバー部材を除去して、前記上面開口及び取付部をプレキャストコンクリート壁の上面側に臨ませ、前記配線用ボックスの開口を前記上面開口に臨ませて、上面側から該ボックスを前記取付部に取り付けることにより、プレキャストコンクリート壁に配線用ボックスを固定することに、その構成上の特徴を有するものである。
【００９４】
そして、本請求項に係る発明によれば、形成されたプレキャストコンクリート壁に対して別部材に係る配線用ボックスを後付けすることが可能となるので、該プレキャストコンクリート壁へ電線管を接続する際にあっても、該プレキャストコンクリート壁への直接的な接続を回避できるので、作業者による電線管の接続作業を容易なものとすることができるという効果を奏するのである。
【００９５】
請求項７に係る発明は、請求項６に記載のプレキャストコンクリート壁への配線用ボックスの固定方法において、前記配線用ボックスは、側壁に電線管が接続された状態で、前記枠体部材に取り付けられることに、その構成上の特徴を有するものである。
【００９６】
そして、本請求項に係る発明によれば、形成されたプレキャストコンクリート壁の枠体部材の取付部に対し、別部材に係る配線用ボックスに電線管を接続してから取り付けることが可能となるので、作業者による電線管の接続作業を容易なものとすることができるという効果を奏するのである。
【００９７】
請求項８に係る発明は、請求項６又は請求項７に記載のプレキャストコンクリート壁への配線用ボックスの固定方法において、前記枠体部材は、下面開口側に配線器具や感知器等の電気器具が取り付け可能な器具取付部を備えたことに、その構成上の特徴を有するものである。
【００９８】
そして、本請求項に係る発明によれば、請求項６又は請求項７に記載の効果に加え、プレキャストコンクリート壁の下面に対する電気器具の取付が容易となるので、施行現場における作業性を向上させることが可能となるという効果を奏するのである。
【００９９】
請求項９に係る発明は、請求項６乃至請求項８の何れかに記載のプレキャストコンクリート壁への配線用ボックスの固定方法において、前記枠体部材は、複数の枠材の組み付けにより構成され、プレキャストコンクリート壁の壁厚に応じて高さ調整可能に設けられることに、その構成上の特徴を有するものである。
【０１００】
そして、本請求項に係る発明によれば、プレキャストコンクリート壁内に埋設される型枠に固定される枠体部材の高さ寸法が、形成されるプレキャストコンクリート壁の厚みに応じて容易に変化させることができるため、該プレキャストコンクリート壁の多様化を図ることが可能となるという効果を奏するのである。
【０１０１】
請求項１０に係る発明は、請求項８又は請求項９に記載のプレキャストコンクリート壁への配線用ボックスの固定方法において、前記枠体部材は、下面開口を形成するとともに前記器具取付部を備えた器具取付枠と、該器具取付枠に取り付けられて上面開口を形成すると共に、別部材に係る配線用ボックスの取り付けが可能な取付部を備えた継枠部材とで形成され、前記継枠部材は、複数積層できるように相互に組み付けられて、プレキャストコンクリート壁の壁厚に応じて高さ調整可能に設けられることに、その構成上の特徴を有するものである。
【０１０２】
そして、本請求項に係る発明によれば、プレキャストコンクリート壁の下面に対する電気器具の取付が容易となって施行現場における作業性を向上させることが可能となると共に、当該プレキャストコンクリート壁の厚みに応じて枠体部材の高さ寸法を容易に変化させることができるので、該プレキャストコンクリート壁の多様化を図ることが可能となるという効果を奏するのである。
【０１０３】
請求項１１に係る発明は、請求項６乃至請求項１０に記載のプレキャストコンクリート壁への配線用ボックスの固定方法において、前記枠体部材は、前記型枠に固定された固定具に、下面開口側が固定されて型枠に固定することに、その構成上の特徴を有するものである。
【０１０４】
そして、本請求項に係る発明によれば、枠体部材を所期の位置へ固定するにあたり、正確な位置に対して容易に固定できるので、該プレキャストコンクリート壁の製造効率を向上させることが可能となるという効果を奏するのである。
【０１０５】
請求項１２に係る発明は、プレキャストコンクリート壁と打設コンクリート壁との二層構造により建物壁を形成するハーフＰＣ工法に用いる前記プレキャストコンクリート壁であって、該プレキャストコンクリート壁はその内部に枠体部材を埋設してなり、該枠体部材は、前記プレキャストコンクリート壁の下面側に臨む下面開口と、該プレキャストコンクリート壁の上面側に臨む上面開口と、該プレキャストコンクリート壁の上面側に臨まされて、配線用ボックスの取り付けが可能な取付部とを備えたことに、その構成上の特徴を有するものである。
【０１０６】
そして、本請求項に係る発明によれば、上面開口の取付部に対して別部材に係る配線用ボックスを後付けできるために電線管を接続してから取り付けることが可能となり、作業者による電線管の接続作業を容易なものとすることができるという効果を奏するのである。
【０１０７】
請求項１３の発明に係る配線空間形成装置は、プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、当該枠体部材の上面開口を覆って該枠体部材内側へのコンクリートの進入を防止するカバー部材とを有することに、その構成上の特徴を有するものである。
【０１０８】
そして、本請求項に係る発明によれば、プレキャストコンクリート壁を形成する際に、外側へと連通する開口を有する配線空間を、該プレキャストコンクリート壁の内側へ容易に設けることが可能となり、尚且つ、コンクリートが前記接続空間内に流入することを防止できるという効果を奏するのである。
【０１０９】
請求項１４の発明に係る配線空間形成装置は、プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、当該枠体部材の上面開口に取り付けられることにより、該枠体部材内側へのコンクリートの進入を防止すると共に、前記取付部へのコンクリートの付着を防止するカバー部材とを有することに、その構成上の特徴を有するものである。
【０１１０】
そして、本請求項に係る発明によれば、プレキャストコンクリート壁を形成する際に、外側へと連通する開口を有する配線空間を、該プレキャストコンクリート壁の内側へ容易に設けることが可能となり、尚且つ、該プレキャストコンクリート壁を形成すべくコンクリートを打設する際に、枠体部材の上面開口にカバー部材を係止させることによって、コンクリートが前記接続空間内に流入することを防止できるという効果を奏するのである。
【０１１１】
請求項１５の発明に係る配線空間形成装置は、プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、当該枠体部材の上面開口を覆って該枠体部材内側へのコンクリートの進入を防止するカバー部材と、前記プレキャストコンクリートが形成されて、前記カバー部材を除去した後に前記枠体部材の取付部に取り付けられ、側面又は底面に電線管の接続を可能とする配線用ボックスとを有することに、その構成上の特徴を有するものである。
【０１１２】
そして、本請求項に係る発明によれば、プレキャストコンクリート壁を形成する際に、外側へと連通する開口を有する配線空間を、該プレキャストコンクリート壁の内側へ容易に設けることが可能となると共に、コンクリートが前記接続空間内に流入することを防止でき、尚且つ、該プレキャストコンクリート壁が形成された後には、枠体部材の取付部に対して別部材に係る配線用ボックスを後付けできるために電線管を接続してから取り付けることが可能となり、作業者による電線管の接続作業を容易なものとすることができるという効果を奏するのである。
【０１１３】
請求項１６の発明に係る配線空間形成装置は、プレキャストコンクリート壁に埋設されることにより、当該プレキャストコンクリート壁内に配線空間を形成して、該プレキャストコンクリート壁の下面側に下面開口を臨ませると共に、該プレキャストコンクリート壁の上面側に上面開口と配線用ボックスの取付を可能にする取付部とを臨ませる枠体部材と、当該枠体部材の上面開口に取り付けられることにより、該枠体部材内側へのコンクリートの進入を防止すると共に、前記取付部へのコンクリートの付着を防止するカバー部材と、前記プレキャストコンクリートが形成されて、前記カバー部材を除去した後に前記枠体部材の取付部に取り付けられ、側面又は底面に電線管の接続を可能とする配線用ボックスとを有することに、その構成上の特徴を有するものである。
【０１１４】
そして、本請求項に係る発明によれば、プレキャストコンクリート壁を形成する際に、外側へと連通する開口を有する配線空間を、該プレキャストコンクリート壁の内側へ容易に設けることが可能となると共に、該プレキャストコンクリート壁を形成すべくコンクリートを打設する際に、枠体部材の上面開口にカバー部材を係止させることによって、コンクリートが前記接続空間内に流入することを防止でき、尚且つ、該プレキャストコンクリート壁が形成された後には、枠体部材の取付部に対して別部材に係る配線用ボックスを後付けできるために電線管を接続してから取り付けることが可能となり、作業者による電線管の接続作業を容易なものとすることができるという効果を奏するのである。
【０１１５】
請求項１７の発明に係るカバー部材は、プレキャストコンクリート壁を成型する際に、該プレキャストコンクリート壁内に埋設される枠体部材の上面開口を被覆して、該枠体部材内側へのコンクリートの進入を防止すると共に、前記取付部を保護することに、その構成上の特徴を有するものである。
【０１１６】
そして、本請求項に係る発明によれば、枠体部材内側へのコンクリートの流入を防止できるので、プレキャストコンクリート壁の内側に対して配線空間を確実に設けることが可能となり、配線用ボックスとの取付部をコンクリートの付着から保護することが可能となるという効果を奏するのである。
【図面の簡単な説明】
【図１】実施例１における枠体部材を示す図である。
【図２】図１におけるボックスカバーを別部材に係る配線用ボックスを係合させる直前の状態を示す図である。
【図３】図１における枠体部材に対し別部材に係る配線用ボックスを係合させた状態の断面を示す図である。
【図４】図１における枠体部材に対し別部材に係る配線用ボックスを係合させる直前の状態を示す図である。
【図５】図４における枠体部材に対し他の実施形態に係る配線用ボックスを係合させる直前の状態を示す図である。
【図６】２つの分割体からなるカバー部材を、枠体部材の上端に装着する状態を示す図である。
【図７】図６に示すカバー部材を、枠体部材上端への装着が完了し、キャップを装着した状態を示す図である。
【図８】図１に示す枠体部材を型枠底部の固定具にて固定し、該枠体部材の上面開口を図７に示すカバー部材にて閉塞すると共に、該型枠内にコンクリートを打設してなるプレキャストコンクリート壁の断面を示す図である。
【図９】図８に示すプレキャストコンクリート壁を斜め上方より示した図である。
【図１０】図１に示す枠体部材を型枠底部の固定具にて固定し、該枠体部材の上面開口を図７に示すカバー部材にて閉塞すると共に、前記固定具の被磁性体部分に吸着させたマグネットに接続する棒にて、前記カバー部材を仮止めし、前記型枠内にコンクリートを打設してなるプレキャストコンクリート壁の断面を示す図である。
【図１１】図７に示すカバー部材に対してキャップを装着することなく、型枠底部に設けた固定具に吸着するマグネットに接続された棒を該カバー部材の貫通孔から突出させると共に、該棒に弾性材料からなる円錐台部材を装着する状態を示す図である。
【図１２】図８に示すカバー部材を、型枠内に配設されたプレキャストコンクリート壁の補強材としての鉄筋に対して、針金にて縛り付けることによって仮止めした状態を示す断面図である。
【図１３】プレキャストコンクリート壁内に図５に示す枠体部材が埋設され、予めコネクタを介して電線管が接続された別部材に係る配線用ボックスを係合させる直前の状態を示す図である。
【図１４】図１３に示す配線用ボックスが接合されたプレキャストコンクリート壁を型枠として、施工現場においてコンクリートが打設されてなる建物壁の断面を示す図である。
【図１５】他の実施例に係る枠体部材を示す図である。
【図１６】図１５に示す枠体部材に対して別部材に係る配線用ボックスを係合させる直前の状態を示す図である。
【図１７】プレキャストコンクリート壁内に図１６に示す枠体部材が埋設され、予めコネクタを介して電線管が接続された別部材に係る配線用ボックスを係合させる直前の状態を示す図である。
【符号の説明】
１０  枠体部材
１１  上面開口
１２  下面開口
１３  継枠部材
１４  係合部
１５  係止爪
１６  凹部
１７  フランジ部
１８  取付部
２０  ボックスカバー
２１  器具取付部
３０  カバー部材
３１  嵌合部
３２  キャップ
３３  円錐台部材
３４  棒
３５  マグネット
３６  突出部
４０  配線用ボックス
４１  プレート部材
４２  コネクタ
４３  電線管
５０  型枠
５１  鉄筋
６０  固定具
【図１】
2004336872.tif 000003
【図２】
2004336872.tif 000004
【図３】
2004336872.tif 000005
【図４】
2004336872.tif 000006
【図５】
2004336872.tif 000007
【図６】
2004336872.tif 000008
【図７】
2004336872.tif 000009
【図８】
2004336872.tif 000010
【図９】
2004336872.tif 000011
【図１０】
2004336872.tif 000012
【図１１】
2004336872.tif 000013
【図１２】
2004336872.tif 000014
【図１３】
2004336872.tif 000015
【図１４】
2004336872.tif 000016
【図１５】
2004336872.tif 000017
【図１６】
2004336872.tif 000018
【図１７】
2004336872.tif 000019